(57)【要約】【課題】客に対して情報が提供される機会を増加させる。【解決手段】超音波発生装置１は、配信情報が重畳された超音波信号を発生する信号発生部を有し、携帯端末２は、超音波信号を受信する超音波信号受信部と、超音波信号に重畳された配信情報を抽出する抽出部と、配信情報を情報提供装置３に送信する端末側送信部とを有し、情報提供装置３は、複数の携帯端末２から配信情報を受信する装置側受信部と、所定期間内に装置側受信部が受信した配信情報を送信した携帯端末２の数に基づいて特典情報を携帯端末２に送信する装置側送信部とを有する。【選択図】図５
2015041149.tif 000002
【特許請求の範囲】
【請求項１】
超音波発生装置と、携帯端末と、前記携帯端末に情報を提供する情報提供装置と、を備える情報提供システムであって、
前記超音波発生装置は、配信情報が重畳された超音波信号を発生する信号発生部を有し、
前記携帯端末は、
前記超音波信号を受信する超音波信号受信部と、
前記超音波信号に重畳された前記配信情報を抽出する抽出部と、
前記配信情報を前記情報提供装置に送信する端末側送信部と、
を有し、
前記情報提供装置は、
複数の前記携帯端末から前記配信情報を受信する装置側受信部と、
所定期間内に前記装置側受信部が受信した前記配信情報を送信した前記携帯端末の数に基づいて特典情報を前記携帯端末に送信する装置側送信部と、
を有する情報提供システム。
【請求項２】
前記情報提供装置は、前記携帯端末の数に基づいて、複数の特典情報の中から前記携帯端末に提供する特典情報を選択する選択部をさらに有し、
前記装置側送信部は、前記選択部により選択された前記特典情報を前記携帯端末に送信する、
請求項１に記載の情報提供システム。
【請求項３】
前記選択部は、前記携帯端末の数が所定値以下の場合に、前記携帯端末の数が前記所定値より大きい場合に付与する前記特典情報に比べて価値の高い特典情報を選択する、
請求項２に記載の情報提供システム。
【請求項４】
前記情報提供装置は、前記配信情報を送信した前記携帯端末の数の時間帯ごとの平均値を記憶する記憶部をさらに備え、
前記選択部は、前記装置側受信部が前記配信情報を受信した時間帯における前記平均値が所定の閾値以下の場合に、前記平均値が前記所定の閾値より大きい場合に比べて価値の高い特典情報を選択する、
請求項３に記載の情報提供システム。
【請求項５】
前記端末側送信部は、前記携帯端末を識別する端末ＩＤを前記情報提供装置にさらに送信し、
前記装置側受信部は、前記複数の前記携帯端末から前記端末ＩＤをさらに受信し、
前記選択部は、前記所定期間内に前記装置側受信部が受信した異なる前記端末ＩＤの数に基づいて前記携帯端末の数を特定する、
請求項２から４のいずれか１項に記載の情報提供システム。
【請求項６】
前記端末側送信部は、前記携帯端末のユーザに対応するユーザＩＤを前記情報提供装置にさらに送信し、
前記装置側受信部は、複数の前記携帯端末から前記配信情報及び前記ユーザＩＤを受信し、
前記選択部は、前記装置側受信部が所定のグループに関連付けられている複数のユーザＩＤに対応する前記複数の携帯端末から前記配信情報を受信すると、前記複数の携帯端末に提供する前記特典情報を選択する、
請求項２から５のいずれか１項に記載の情報提供システム。
【請求項７】
前記選択部は、前記所定のグループに関連付けられている複数の前記ユーザＩＤに対応する前記複数の携帯端末から前記配信情報を受信した場合に、前記グループに関連付けられていない複数の前記ユーザＩＤに対応する前記複数の携帯端末から前記配信情報を受信した場合に付与する前記特典情報に比べて価値の高い特典情報を選択する、
請求項６に記載の情報提供システム。
【請求項８】
複数の携帯端末から、超音波発生装置が発生した超音波信号から前記携帯端末が抽出した配信情報を受信する装置側受信部と、
所定期間内に前記装置側受信部が受信した前記配信情報を送信した前記携帯端末の数に基づいて特典情報を前記携帯端末に送信する装置側送信部と、
を備える情報提供装置。
【請求項９】
コンピュータを、
複数の携帯端末から、超音波発生装置が発生した超音波信号から前記携帯端末が抽出した配信情報を受信する装置側受信部、及び
所定期間内に前記装置側受信部が受信した前記配信情報を送信した前記携帯端末の数に基づいて特典情報を前記携帯端末に送信する装置側送信部、
として機能させるための情報提供プログラム。
【請求項１０】
配信情報が重畳された超音波信号を発生する工程と、
携帯端末が前記超音波信号を受信する工程と、
前記超音波信号に重畳された前記配信情報を抽出する工程と、
前記携帯端末が前記配信情報を情報提供装置に送信する工程と、
所定期間内に前記配信情報を前記情報提供装置に送信した前記携帯端末の数に基づいて特典情報を前記携帯端末に送信する工程と、
を有する情報提供方法。
【発明の詳細な説明】
【技術分野】
【０００１】
本発明は、携帯端末に情報を提供する情報提供システム、情報提供装置、携帯端末及び情報取得プログラムに関する。
【背景技術】
【０００２】
近年、情報を重畳させた音響信号によって通信を行う方法が提案されている。例えば、特許文献１には、携帯端末が、音響信号に変調された識別情報を含む音声を収音し、当該音声から識別情報を復調し、復調された識別情報に基づいて、コンテンツを取得するためのアドレス情報をサーバから取得する技術が開示されている。また、特許文献１には、当該音響信号を非可聴帯域まで周波数シフトして放音する技術が開示されている。
【０００３】
このような技術によれば、非可聴帯域の音響信号、すなわち超音波信号にクーポン等の識別情報を重畳することによって、超音波信号を受信できる位置に存在する携帯端末に、クーポン等を表示するウェブページにアクセスさせ、クーポン等を取得させることができる。
【先行技術文献】
【特許文献】
【０００４】
【特許文献１】特開２０１２−１５５７０６号公報
【発明の概要】
【発明が解決しようとする課題】
【０００５】
ところで、特許文献１に記載の方法によれば、例えば、店舗等に超音波信号を発生させる超音波発生装置を設置しておくことで、来店した客は、自身の携帯端末を用いて超音波発生装置が発生した超音波を受信してクーポンを取得することができる。
【０００６】
しかしながら、店舗は、例えば時間帯や業種によっては、来店する客が少なく、クーポンを発行する機会が少ないという問題がある。これにより、店舗によっては、来店した客に対してクーポンを供給することで来店率を高めるという本来の目的が十分に達成されないという問題が発生する。
【０００７】
そこで、本発明はこれらの課題を解決するためになされたものであり、客に対して情報が提供される機会を増加させることができる情報提供システム、情報提供装置、情報提供プログラム及び情報提供方法を提供することを目的とする。
【課題を解決するための手段】
【０００８】
本発明の第１の態様に係る情報提供システムは、超音波発生装置と、携帯端末と、前記携帯端末に情報を提供する情報提供装置と、を備える情報提供システムであって、前記超音波発生装置は、配信情報が重畳された超音波信号を発生する信号発生部を有し、前記携帯端末は、前記超音波信号を受信する超音波信号受信部と、前記超音波信号に重畳された前記配信情報を抽出する抽出部と、前記配信情報を前記情報提供装置に送信する端末側送信部と、を有し、前記情報提供装置は、複数の前記携帯端末から前記配信情報を受信する装置側受信部と、所定期間内に前記装置側受信部が受信した前記配信情報を送信した前記携帯端末の数に基づいて特典情報を前記携帯端末に送信する装置側送信部とを有する。
【０００９】
この発明によれば、所定期間内に超音波発生装置から配信情報を受信した携帯端末の数、すなわち、来店した客の数に基づいて特典情報を送信することができる。よって、例えば、来店する客の数が少ない時間帯に来店した客に特典情報を与えることで、客に対して、来店する客の数が少ない時間に来店する動機づけを与えることができる。これにより、客に対して特典情報が提供される機会を増加させることができる。
【００１０】
また、前記情報提供装置は、前記携帯端末の数に基づいて、複数の特典情報の中から前記携帯端末に提供する特典情報を選択する選択部をさらに有し、前記装置側送信部は、前記選択部により選択された前記特典情報を前記携帯端末に送信することを特徴とする。
この発明によれば、例えば、複数の特典情報をそれぞれ価値の異なる特典情報としておくことで、来店した客の数に応じて最適な特典情報を選択して提供することができる。
【００１１】
また、前記選択部は、前記携帯端末の数が所定値以下の場合に、前記携帯端末の数が前記所定値より大きい場合に付与する前記特典情報に比べて価値の高い特典情報を選択することを特徴とする。
この発明によれば、情報提供装置は、来店した客の数が所定値以下の場合に、来店した客の数が所定値よりも大きい場合に付与する特典情報に比べて価値の高い特典情報を選択するので、来店数が少ない時間を狙って来店するように客を誘導し、来店数が少ない時間における来客数を増加させることができる。
【００１２】
また、前記情報提供装置は、前記配信情報を送信した前記携帯端末の数の時間帯ごとの平均値を記憶する記憶部をさらに備え、前記選択部は、前記装置側受信部が前記配信情報を受信した時間帯における前記平均値が所定の閾値以下の場合に、前記平均値が前記所定の閾値より大きい場合に比べて価値の高い特典情報を選択することを特徴とする。
【００１３】
この発明によれば、客が少ない時間帯における来客数を増加させることができる。また、予め広告等により、価値の高い特典情報が付与される時間帯を客に通知することで、来客数が少ない時間帯に来店を誘導しやすくなる。
【００１４】
また、前記端末側送信部は、前記携帯端末を識別する端末ＩＤを前記情報提供装置にさらに送信し、前記装置側受信部は、前記複数の前記携帯端末から前記端末ＩＤをさらに受信し、前記選択部は、前記所定期間内に前記装置側受信部が受信した異なる前記端末ＩＤの数に基づいて前記携帯端末の数を特定することを特徴とする。
この発明によれば、端末ＩＤの数に基づいて携帯端末の数を特定するので、配信情報を送信した携帯端末の数を正確に特定することができる。
【００１５】
また、前記端末側送信部は、前記携帯端末のユーザに対応するユーザＩＤを前記情報提供装置にさらに送信し、前記装置側受信部は、複数の前記携帯端末から前記配信情報及び前記ユーザＩＤを受信し、前記選択部は、前記装置側受信部が所定のグループに関連付けられている複数のユーザＩＤに対応する前記複数の携帯端末から前記配信情報を受信すると、前記複数の携帯端末に提供する前記特典情報を選択することを特徴とする。
【００１６】
この発明によれば、所定のグループに関連付けられている複数のユーザＩＤに対応する前記複数の携帯端末から前記配信情報を受信したことに応じて、これらの携帯端末に特典情報を提供するので、同一のグループに属する複数のユーザ同士で同時に来店する機会を増加させることができる。よって、客に対して特典情報が提供される機会をさらに増加させることができる。
【００１７】
また、前記選択部は、前記所定のグループに関連付けられている複数の前記ユーザＩＤに対応する前記複数の携帯端末から前記配信情報を受信した場合に、前記グループに関連付けられていない複数の前記ユーザＩＤに対応する前記複数の携帯端末から前記配信情報を受信した場合に付与する前記特典情報に比べて価値の高い特典情報を選択することを特徴とする。
【００１８】
この発明によれば、ユーザは、グループのユーザ同士で来店したほうが個別に来店するよりも価値の高い特典情報を取得できる。これにより、同一のグループに属する複数のユーザ同士で同時に来店する機会をさらに増加させることができる。
【００１９】
本発明の第２の態様に係る情報提供装置は、複数の携帯端末から、超音波発生装置が発生した超音波信号から前記携帯端末が抽出した配信情報を受信する装置側受信部と、所定期間内に前記装置側受信部が受信した前記配信情報を送信した前記携帯端末の数に基づいて特典情報を前記携帯端末に送信する装置側送信部と、を備えることを特徴とする。
【００２０】
本発明の第３の態様に係る情報提供プログラムは、コンピュータを、複数の携帯端末から、超音波発生装置が発生した超音波信号から前記携帯端末が抽出した配信情報を受信する装置側受信部、及び所定期間内に前記装置側受信部が受信した前記配信情報を送信した前記携帯端末の数に基づいて特典情報を前記携帯端末に送信する装置側送信部として機能させることを特徴とする。
【００２１】
本発明の第４の態様に係る情報提供方法は、配信情報が重畳された超音波信号を発生する工程と、携帯端末が前記超音波信号を受信する工程と、前記超音波信号に重畳された前記配信情報を抽出する工程と、前記携帯端末が前記配信情報を情報提供装置に送信する工程と、所定期間内に前記配信情報を前記情報提供装置に送信した前記携帯端末の数に基づいて特典情報を前記携帯端末に送信する工程と、を有することを特徴とする。
これらの発明によれば、第１の態様に係る情報提供システムと同等の効果を奏することができる。
【発明の効果】
【００２２】
本発明によれば、客に対して情報が提供される機会を増加させることができる。
【図面の簡単な説明】
【００２３】
【図１】第１の実施形態に係る情報提供システムの概要図である。
【図２】第１の実施形態に係る超音波発生装置及び携帯端末の機能構成図である。
【図３】第１の実施形態に係る情報提供装置の機能構成図である。
【図４】第１の実施形態に係る選択情報の例を示す図である。
【図５】第１の実施形態に係る情報提供システムにおいて、携帯端末が特典情報を受信するまでの通信シーケンスの一例を示す図である。
【図６】第２の実施形態に係る情報提供システムにおいて、携帯端末が特典情報を受信するまでの通信シーケンスの一例を示す図である。
【図７】第３の実施形態に係る情報提供システムにおいて、携帯端末が特典情報を受信するまでの通信シーケンスの一例（その１）を示す図である。
【図８】第３の実施形態に係る情報提供システムにおいて、携帯端末が特典情報を受信するまでの通信シーケンスの一例（その２）を示す図である。
【発明を実施するための形態】
【００２４】
以下、本発明の実施形態について説明する。
＜第１の実施形態＞
［情報提供システムＳの概要］
図１は、第１の実施形態に係る情報提供システムＳの概要図である。
情報提供システムＳは、超音波発生装置１と、携帯端末２と、情報提供装置３と、基地局４とを備える。
【００２５】
携帯端末２は、店舗等に設置されている超音波発生装置１が発生した超音波信号を受信して、当該超音波信号に重畳された配信情報を抽出する。携帯端末２は、基地局４を介して、当該配信情報を情報提供装置３に送信する。
【００２６】
ここで、基地局４は、携帯電話回線を介して携帯端末２と通信可能に接続されているとともに、インターネット網等から構成されるネットワークＮを介して情報提供装置３に通信可能に接続されている。基地局４は、携帯端末２から携帯電話回線を介して受信した配信情報を、ネットワークＮを介して情報提供装置３に送信する。
【００２７】
情報提供装置３は、携帯端末２から配信情報を受信すると、所定期間内に配信情報を送信した携帯端末２の数に基づいて、複数の特典情報から提供する特典情報を選択し、当該特典情報を携帯端末２に送信する。ここで、特典情報は、超音波発生装置１が設置されている店舗において使用可能なクーポンを示すクーポン情報や、当該店舗において販売されている商品を割引可能な割引情報又はポイント情報である。この特典情報は、複数種類設けられている。これら複数の特典情報は、それぞれ異なる価値を有している。例えば、第１のポイント値（例えば、５０ポイント）を示す第１の特典情報や、第１の特典情報に比べて価値の高い第２のポイント値（例えば、１００ポイント）を示す第２の特典情報等が設けられている。
なお、情報提供システムＳはさらに特典情報の管理を行う管理システム８を備えていてもよく、情報提供装置３は、当該管理システム８から特典情報を取得してもよい。
【００２８】
［超音波発生装置１及び携帯端末２の構成例］
続いて、超音波発生装置１及び携帯端末２が備える機能について説明する。図２は、第１の実施形態に係る超音波発生装置１及び携帯端末２の機能構成図である。
【００２９】
超音波発生装置１は、配信情報記憶部１１と、信号発生部１２とを記憶する。
配信情報記憶部１１は、配信情報を記憶する。配信情報は、例えば、当該配信情報を発信する超音波発生装置１を識別する識別情報を示す装置ＩＤや、超音波発生装置１が設置された店舗を識別する店舗ＩＤや、超音波発生装置１が設置された施設を識別する施設ＩＤ等である。なお、装置ＩＤは、例えば同一店舗に設置されている複数の超音波発生装置１で共用されてもよい。
信号発生部１２は、配信情報記憶部１１に記憶されている配信情報を超音波に変調することで、配信情報が重畳された超音波信号を発生する。
【００３０】
携帯端末２は、超音波信号受信部２１と、端末側記憶部２２と、入力部２３と、表示部２４と、無線部２５と、端末側制御部２６とを備える。
超音波信号受信部２１は、例えばレシーバであり、超音波発生装置１が発生した超音波信号を受信する。
【００３１】
端末側記憶部２２は、例えば、ＲＯＭ及びＲＡＭ等により構成される。端末側記憶部２２は、携帯端末２を機能させるための各種プログラムを記憶する。端末側記憶部２２は、外部メモリ等の記憶媒体に記憶されたプログラムを読み取って記憶してもよく、ネットワークＮを介して外部装置からダウンロードされたプログラムを記憶してもよい。
【００３２】
入力部２３は、例えば、ボタンや、表示部２４に重畳して配置される接触センサ等により構成される。入力部２３は、携帯端末２のユーザから操作入力を受け付ける。
表示部２４は、例えば、液晶ディスプレイや有機ＥＬ（Electro-Luminescence）ディスプレイ等により構成される。表示部２４は、端末側制御部２６の制御に応じて特典情報等を表示する。
【００３３】
無線部２５は、端末側制御部２６から出力された信号を変調してＲＦ（Radio Frequency）信号を生成し、アンテナ（不図示）を介して当該ＲＦ信号を基地局４に無線送信する。また、無線部２５は、アンテナを介して受信したＲＦ信号を復調して、復調された信号を端末側制御部２６に出力する。
【００３４】
端末側制御部２６は、例えば、ＣＰＵにより構成される。端末側制御部２６は、端末側記憶部２２に記憶されている各種プログラムを実行することにより、携帯端末２に係る機能を統括的に制御する。端末側制御部２６は、抽出部２６１と、端末側送信部２６２と、端末側受信部２６３とを備える。
【００３５】
抽出部２６１は、入力部２３において、特典情報を取得する操作が行われたことに応じて、超音波信号受信部２１に超音波信号の受信を開始させる。そして、抽出部２６１は、超音波信号受信部２１が受信した超音波信号を復調することにより、当該超音波信号に重畳された配信情報を抽出する。なお、超音波信号受信部２１に超音波信号を常時受信可能に動作させておき、超音波信号受信部２１が超音波を受信したことに応じて、抽出部２６１が当該超音波信号に重畳された配信情報を抽出してもよい。
【００３６】
端末側送信部２６２は、抽出部２６１が超音波信号から抽出した配信情報と、携帯端末２を識別する端末ＩＤとを、無線部２５を介して、情報提供装置３に送信する。ここで、端末ＩＤは、例えば、携帯端末２にインストールされているＯＳに関連付けられている識別情報、例えば、ＵＤＩＤ（Unique Device IDentifier）やＡｎｄｒｏｉｄ（登録商標）ＩＤである。なお、端末ＩＤは、携帯端末２を識別可能な情報であれば他の情報であってもよい。
【００３７】
端末側受信部２６３は、無線部２５を介して、情報提供装置３から特典情報を受信する。端末側受信部２６３は、受信した特典情報を端末側記憶部２２に記憶させる。
ここで、端末側受信部２６３は、端末側記憶部２２に記憶された特典情報を表示部２４に表示させてもよい。また、端末側受信部２６３は、受信した特典情報を表示部２４に直接表示させてもよい。
【００３８】
［情報提供装置３の構成例］
続いて、情報提供装置３が備える機能について説明する。図３は、第１の実施形態に係る情報提供装置３の機能構成図である。
情報提供装置３は、例えばサーバであり、装置側記憶部３１と、装置側制御部３２とを備える。
【００３９】
装置側記憶部３１は、例えば、ＲＯＭ及びＲＡＭ等により構成される。装置側記憶部３１は、情報提供装置３を機能させるための各種プログラムを記憶する。例えば、装置側記憶部３１は、例えば、装置側制御部３２を、後述する装置側受信部３２１、選択部３２２及び装置側送信部３２３として機能させるための情報提供プログラムを記憶する。また、装置側記憶部３１は、それぞれ価値の異なる複数の特典情報を記憶する。装置側記憶部３１は、外部メモリ等の記憶媒体に記憶されたプログラムを読み取って記憶してもよく、ネットワークＮを介して外部装置からダウンロードされたプログラムを記憶してもよい。
【００４０】
装置側制御部３２は、例えば、ＣＰＵにより構成される。装置側制御部３２は、装置側記憶部３１に記憶されている各種プログラムを実行することにより、情報提供装置３に係る機能を統括的に制御する。装置側制御部３２は、装置側受信部３２１と、選択部３２２と、装置側送信部３２３とを備える。
【００４１】
装置側受信部３２１は、複数の携帯端末２のそれぞれから配信情報と、当該配信情報を送信した携帯端末２の端末ＩＤとを受信する。
選択部３２２は、所定期間内（例えば、１時間以内）に装置側受信部３２１が受信した配信情報を送信した携帯端末２の数に基づいて、複数の特典情報の中から携帯端末２に提供する特典情報を選択する。
【００４２】
具体的には、選択部３２２は、装置側受信部３２１が携帯端末２から配信情報及び端末ＩＤを受信すると、所定期間内に装置側受信部３２１が受信した異なる端末ＩＤの数に基づいて携帯端末２の数を特定する。続いて、選択部３２２は、特定した携帯端末２の数が所定値以下の場合に、携帯端末２の数が所定値より大きい場合に付与する特典情報に比べて価値の高い特典情報を選択する。
【００４３】
例えば、装置側記憶部３１に、図４に示すように、所定期間内に配信情報を送信した携帯端末２の数と、提供する特典情報とを関連付けた選択情報を記憶させておき、選択部３２２は、選択情報を参照して、特定した携帯端末２の数に関連する特典情報を選択してもよい。
【００４４】
なお、携帯端末２の数の特定は、例えば以下のように行われる。まず、選択部３２２は、配信情報を受信した時刻と携帯端末２の端末ＩＤと関連付けて履歴情報として装置側記憶部３１に記憶する。続いて、選択部３２２は、装置側受信部３２１が携帯端末２から配信情報及び端末ＩＤを受信すると、装置側記憶部３１に記憶されている履歴情報を参照し、所定期間内に装置側受信部３２１が受信した異なる端末ＩＤの数を算出する。選択部３２２は、算出した端末ＩＤの数を携帯端末２の数と特定する。
【００４５】
装置側送信部３２３は、所定期間内に装置側受信部３２１が受信した配信情報を送信した携帯端末２の数に基づいて特典情報を携帯端末２に送信する。具体的には、装置側送信部３２３は、選択部３２２により選択された特典情報を、配信情報を送信した携帯端末２に送信する。
【００４６】
［情報提供システムＳの通信シーケンス］
図５は、第１の実施形態に係る情報提供システムＳにおいて、携帯端末２が特典情報を受信するまでの通信シーケンスの一例を示す図である。
まず、超音波発生装置１が、少なくとも、装置ＩＤ又は施設ＩＤのいずれかを含む配信情報が重畳された超音波信号を発生する（Ｓ１）。
【００４７】
続いて、超音波信号受信部２１が超音波信号を受信すると、抽出部２６１は、当該超音波信号に含まれている配信情報を抽出する（Ｓ２）。続いて、端末側送信部２６２は、配信情報及び携帯端末２の端末ＩＤを情報提供装置３に送信する。
続いて、装置側受信部３２１は、携帯端末２から配信情報及び端末ＩＤを受信する。
【００４８】
続いて、選択部３２２は、配信情報を受信した時刻と、受信した端末ＩＤと関連付けて履歴情報として装置側記憶部３１に記憶する（Ｓ３）。
続いて、選択部３２２は、履歴情報を参照し、所定期間内に装置側受信部３２１が受信した異なる端末ＩＤの数に基づいて、所定期間内に配信情報を送信した携帯端末２の数を特定する（Ｓ４）。
【００４９】
続いて、選択部３２２は、Ｓ４において特定した携帯端末２の数に基づいて、装置側記憶部３１に記憶されている複数の特典情報の中から一の特典情報を選択する（Ｓ５）。
続いて、装置側送信部３２３は、選択部３２２により選択された特典情報を、配信情報を送信した携帯端末２に送信する。
続いて、端末側受信部２６３は、無線部２５を介して、情報提供装置３から特典情報を受信し、当該特典情報を端末側記憶部２２に記憶させる（Ｓ６）。
【００５０】
［第１の実施形態における効果］
以上のとおり、第１の実施形態に係る情報提供システムＳの情報提供装置３は、所定期間内に超音波発生装置１から配信情報を受信した携帯端末の数、すなわち、来店した客の数に基づいて特典情報を送信することができる。よって、例えば、来店した客の数が少ない場合に特典情報を来店した客に与えることで、客に対して、来店する客の数が少ない時間に来店する動機づけを与えることができる。これにより、客に対して特典情報が提供される機会を増加させることができる。
なお、情報提供装置３は、特定の超音波を受信したユーザに対して現在配信している特典内容を、広告情報として来店可能性のある他のユーザに報知するようにしてもよい。このようにすることで、高い特典情報を受けられる店舗へ来客を誘導することが可能となるとともに、混雑緩和に寄与することができる。
【００５１】
＜第２の実施形態＞
［時間帯に基づいて特典情報を選択する］
続いて、第２の実施形態について説明する。第２の実施形態は、情報提供装置３が、携帯端末２から配信情報を受信した時間帯に基づいて特典情報を選択する点で第１の実施形態と異なり、その他の点では同じである。
【００５２】
第２の実施形態において、装置側記憶部３１は、配信情報を送信した携帯端末２の数の時間帯ごとの平均値を平均値情報として記憶する。
選択部３２２は、携帯端末２から配信情報及び端末ＩＤを受信すると、現在の時間帯を特定し、装置側記憶部３１に記憶されている平均値情報を参照して、特定した時間帯における平均値を取得する。続いて、選択部３２２は、装置側受信部３２１が携帯端末２から配信情報を受信した時間帯における平均値が所定の閾値以下の場合に、平均値が所定の閾値より大きい場合に比べて価値の高い特典情報を選択する。
【００５３】
また、選択部３２２は、装置側記憶部３１に記憶されている、配信情報を受信した時刻と携帯端末２の端末ＩＤと関連付けた履歴情報に基づいて、定期的に平均値情報に記憶されている各時間帯の平均値を更新する。
【００５４】
［第２の実施形態に係る情報提供システムＳの通信シーケンス］
図６は、第２の実施形態に係る情報提供システムＳにおいて、携帯端末２が特典情報を受信するまでの通信シーケンスの一例を示す図である。
まず、超音波発生装置１が、配信情報が重畳された超音波信号を発生し（Ｓ１１）、抽出部２６１は、超音波信号受信部２１が受信した超音波信号に含まれている配信情報を抽出する（Ｓ１２）。続いて、端末側送信部２６２は、抽出した配信情報及び携帯端末２の端末ＩＤを情報提供装置３に送信する。
続いて、装置側受信部３２１は、携帯端末２から配信情報及び端末ＩＤを受信する。
【００５５】
続いて、選択部３２２は、配信情報を受信した時刻から、現在の時間帯を特定する（Ｓ１３）。
続いて、選択部３２２は、装置側記憶部３１に記憶されている平均値情報を参照し、Ｓ１３において特定した時間帯に関連付けられている平均値を取得する（Ｓ１４）。
続いて、選択部３２２は、Ｓ１４において取得した平均値に基づいて特典情報を選択する（Ｓ１５）。
【００５６】
続いて、装置側送信部３２３は、選択部３２２により選択された特典情報を、配信情報を送信した携帯端末２に送信する。
続いて、端末側受信部２６３は、無線部２５を介して、情報提供装置３から特典情報を受信し、当該特典情報を端末側記憶部２２に記憶させる（Ｓ１６）。
【００５７】
［第２の実施形態における効果］
以上のとおり、第２の実施形態に係る情報提供装置３は、配信情報を送信した携帯端末２の数の時間帯ごとの平均値を記憶する装置側記憶部３１をさらに備え、選択部３２２は、装置側受信部３２１が配信情報を受信した時間帯における平均値が所定の閾値以下の場合に、平均値が所定の閾値より大きい場合に比べて価値の高い特典情報を選択する。
【００５８】
このようにすることで、来店する客が少ない時間帯に来店するように客を誘導することができるので、客が少ない時間帯における来客数を増加させることができる。また、予め広告等により、価値の高い特典情報が付与される時間帯を客に通知することで、来客数が少ない時間帯に来店を誘導しやすくなる。
【００５９】
＜第３の実施形態＞
［グループに基づいて特典情報を選択する］
続いて、第３の実施形態について説明する。第３の実施形態は、携帯端末２のユーザに関連するグループに基づいて特典情報を提供する点で第１の実施形態と異なり、その他の点では同じである。ここで、グループとは、例えば、ＳＮＳ（Social Networking Service）やチャットサービス等のコミュニティサービスにおけるグループである。
【００６０】
第３の実施形態において、携帯端末２の端末側送信部２６２は、携帯端末２のユーザのコミュニティサービスに係るユーザＩＤを取得する。具体的には、ユーザＩＤは、携帯端末２の端末側記憶部２２に予め記憶されており、端末側送信部２６２は、抽出部２６１が超音波信号から配信情報を抽出したことに応じて、当該ユーザＩＤを取得する。なお、端末側送信部２６２は、コミュニティサービスを提供する外部サーバにアクセスし、ユーザＩＤを取得してもよい。
端末側送信部２６２は、抽出した配信情報及び取得したユーザＩＤを情報提供装置３に送信する。
【００６１】
装置側受信部３２１は、複数の携帯端末２から配信情報及びユーザＩＤを受信する。
選択部３２２は、所定期間よりも短い第１期間内（例えば３分以内）に、装置側受信部３２１が所定のグループに関連付けられている複数のユーザＩＤに対応する複数の携帯端末２から配信情報を受信すると、複数の携帯端末２に提供する特典情報を選択する。
【００６２】
具体的には、選択部３２２は、装置側受信部３２１が一の携帯端末２から配信情報及びユーザＩＤを受信すると、当該ユーザＩＤからグループＩＤを特定する。そして、選択部３２２は、第１期間内において、他の携帯端末２から受信したユーザＩＤからグループＩＤを特定する。そして、選択部３２２は、先に特定されたグループＩＤと一致するグループＩＤが存在する場合に、同一のグループに関連付けられている複数のユーザＩＤに対応する複数の携帯端末２から配信情報を受信したと判定し、これら複数の携帯端末２に提供する特典情報を選択する。
【００６３】
また、選択部３２２は、履歴情報を用いて所定のグループに関連付けられている複数のユーザＩＤに対応する複数の携帯端末２から配信情報を受信したことを特定してもよい。具体的には、選択部３２２は、装置側受信部３２１が携帯端末２から配信情報、端末ＩＤ及びユーザＩＤを受信すると、例えばコミュニティサービスを提供する外部サーバにアクセスし、当該ユーザＩＤに関連するグループを識別するグループＩＤを特定する。そして、選択部３２２は、配信情報を受信した時刻と、携帯端末２の端末ＩＤと、グループＩＤとを関連付けて履歴情報として装置側記憶部３１に記憶する。
【００６４】
続いて、選択部３２２は、装置側記憶部３１に記憶されている履歴情報を参照し、第１期間内に、受信したユーザＩＤに関連するグループＩＤと一致するグループＩＤが存在するか判定する。続いて、当該グループＩＤが存在すると判定すると、第１期間内において当該グループＩＤに関連付けられている端末ＩＤに対応する携帯端末２に対して付与する特典情報を選択する。
【００６５】
例えば、所定のグループに関連付けられているユーザＩＤの数が１０個ある場合、選択部３２２は、当該所定のグループに関連付けられている２つのユーザＩＤに対応する２台の携帯端末２から配信情報を受信すると、特典情報を提供する。なお、選択部３２２は、例えば、所定のグループに関連付けられている所定数のユーザＩＤに対応する所定数の携帯端末２から配信情報を受信すると、特典情報を提供してもよい。また、選択部３２２は、同一のグループに関連付けられている全てのユーザＩＤを受信したことに応じて、当該ユーザＩＤを送信した複数の携帯端末２に特典情報を提供してもよい。
【００６６】
ここで、選択部３２２は、装置側受信部３２１が所定のグループに関連付けられている複数のユーザＩＤに対応する複数の携帯端末２から配信情報を受信した場合に、グループに関連付けられていない複数のユーザＩＤに対応する複数の携帯端末２が、単独に配信情報を受信した場合に付与する特典情報に比べて価値の高い特典情報を選択してもよい。
【００６７】
また、選択部３２２は、携帯端末２が単独で配信情報を送信した場合に付与する特典情報の代わりに、当該価値の高い特典情報を付与してもよい。また、選択部３２２は、携帯端末２が単独で配信情報を送信した場合に付与する特典情報と、当該価値の高い特典情報とを付与してもよい。
【００６８】
［第３の実施形態に係る情報提供システムＳの通信シーケンス（その１）］
図７は、第３の実施形態に係る情報提供システムＳにおいて、携帯端末２が特典情報を受信するまでの通信シーケンスの一例を示す図である。
【００６９】
まず、超音波発生装置１が、配信情報が重畳された超音波信号を発生し（Ｓ２１）、抽出部２６１は、超音波信号受信部２１が受信した超音波信号に含まれている配信情報を抽出する（Ｓ２２）。
続いて、端末側送信部２６２は、携帯端末２のユーザのユーザＩＤを取得し（Ｓ２３）、配信情報、携帯端末２の端末ＩＤ及びユーザＩＤを情報提供装置３に送信する。
続いて、装置側受信部３２１は、携帯端末２から配信情報、端末ＩＤ及びユーザＩＤを受信する。
【００７０】
続いて、選択部３２２は、ユーザＩＤに対応するグループにおける受信状況を確認し、（Ｓ２４）、当該受信状況に基づいて特典情報を選択する（Ｓ２５）。具体的には、選択部３２２は、受信したユーザＩＤに対応するグループに関連付けられている複数のユーザＩＤに対応する複数の携帯端末２から第１期間内に配信情報を受信している場合に、これら複数の携帯端末２に対して付与する特典情報を選択する。
【００７１】
続いて、装置側送信部３２３は、選択部３２２により選択された特典情報を、配信情報を送信した携帯端末２に送信する。ここで、装置側送信部３２３は、第１期間内に配信情報を送信した同一グループの携帯端末２に対しても特典情報を送信する。
続いて、端末側受信部２６３は、無線部２５を介して、情報提供装置３から特典情報を受信し、当該特典情報を端末側記憶部２２に記憶させる（Ｓ２６）。
【００７２】
なお、第３の実施形態において、携帯端末２の端末側送信部２６２は、情報提供装置３にユーザＩＤの代わりにグループＩＤを送信してもよい。
【００７３】
この場合、装置側受信部３２１は、携帯端末２から配信情報、端末ＩＤ及びグループＩＤを受信する。
選択部３２２は、装置側受信部３２１が携帯端末２から配信情報、端末ＩＤ及びグループＩＤを受信したことに応じて、配信情報を受信した時刻と、携帯端末２の端末ＩＤと、グループＩＤとを関連付けて履歴情報として装置側記憶部３１に記憶する。選択部３２２は、装置側記憶部３１に記憶されている履歴情報を参照し、第１期間内に受信したグループＩＤと同一のグループＩＤが存在するか判定する。続いて、選択部３２２は、同一のグループＩＤが存在すると判定すると、当該グループＩＤに関連付けられている端末ＩＤに対応する携帯端末２に対して付与する特典情報を選択する。
【００７４】
［第３の実施形態に係る情報提供システムＳの通信シーケンス（その２）］
図８は、第３の実施形態に係る情報提供システムＳにおいて、携帯端末２が特典情報を受信するまでの通信シーケンスの一例を示す図である。この通信シーケンスでは、携帯端末２は、グループＩＤを情報提供装置３に送信するものとする。
【００７５】
なお、Ｓ３１、Ｓ３２の処理は、図７に示すＳ２１、Ｓ２２の処理と同様であるので、説明を省略する。
Ｓ３３の処理において、端末側送信部２６２は、携帯端末２のユーザに対応するグループＩＤを取得し（Ｓ３３）、配信情報、携帯端末２の端末ＩＤ及びグループＩＤを情報提供装置３に送信する。
続いて、装置側受信部３２１は、携帯端末２から配信情報、端末ＩＤ及びグループＩＤを受信する。
【００７６】
続いて、選択部３２２は、受信したグループＩＤに対応するグループにおける受信状況を確認し、（Ｓ３４）、当該受信状況に基づいて特典情報を選択する（Ｓ３５）。具体的には、選択部３２２は、受信したグループＩＤに関連付けられている複数の携帯端末２から第１期間内に配信情報を受信している場合に、特典情報を選択する。
【００７７】
続いて、装置側送信部３２３は、選択部３２２により選択された特典情報を、配信情報を送信した携帯端末２に送信する。ここで、装置側送信部３２３は、第１期間内に配信情報を送信した同一グループの携帯端末２に対しても特典情報を送信する。
端末側受信部２６３は、無線部２５を介して、情報提供装置３から特典情報を受信し、当該特典情報を端末側記憶部２２に記憶させる（Ｓ３６）。
【００７８】
［第３の実施形態における効果］
以上のとおり、第３の実施形態に係る情報提供システムＳでは、端末側送信部２６２は、携帯端末２のユーザに対応するユーザＩＤを情報提供装置３にさらに送信し、装置側受信部３２１は、複数の携帯端末２から配信情報及びユーザＩＤを受信し、選択部は、装置側受信部３２１が所定のグループに関連付けられている複数のユーザＩＤに対応する複数の携帯端末２から配信情報を受信すると、複数の携帯端末２に提供する特典情報を選択することを特徴とする。
【００７９】
この発明によれば、所定のグループに関連付けられている複数のユーザＩＤに対応する複数の携帯端末２から配信情報を受信したことに応じて、これらの携帯端末２に特典情報を提供するので、同一のグループに属する複数のユーザ同士で同時に来店する機会を増加させることができる。よって、客に対して特典情報が提供される機会をさらに増加させることができる。
【００８０】
また、選択部３２２は、所定のグループに関連付けられている複数のユーザＩＤに対応する複数の携帯端末２から配信情報を受信した場合に、グループに関連付けられていない複数のユーザＩＤに対応する複数の携帯端末２から配信情報を受信した場合に付与する特典情報に比べて価値の高い特典情報を選択する。このようにすることで、ユーザは、グループのユーザ同士で来店したほうが個別に来店するよりも価値の高い特典情報を取得できる。これにより、同一のグループに属する複数のユーザ同士で同時に来店する機会をさらに増加させることができる。
【００８１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。例えば、上述の実施形態では、端末ＩＤに基づいて端末数を特定したが、これに限らない。例えば、情報提供装置３は、所定期間内に装置側受信部３２１が受信した配信情報の数に基づいて端末数を特定してもよい。
【００８２】
また、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００８３】
１・・・超音波発生装置、１１・・・配信情報記憶部、１２・・・信号発生部、２・・・携帯端末、２１・・・超音波信号受信部、２２・・・端末側記憶部、２３・・・入力部、２４・・・表示部、２５・・・無線部２５・・・端末側制御部、２６１・・・抽出部、２６２・・・端末側送信部、２６３・・・端末側受信部、３・・・情報提供装置、３１・・・装置側記憶部、３２・・・装置側制御部、３２１・・・装置側受信部、３２２・・・選択部、３２３・・・装置側送信部、４・・・基地局、８・・・管理システム、Ｎ・・・ネットワーク、Ｓ・・・情報提供システム
【図１】
2015041149.tif 000003
【図２】
2015041149.tif 000004
【図３】
2015041149.tif 000005
【図４】
2015041149.tif 000006
【図５】
2015041149.tif 000007
【図６】
2015041149.tif 000008
【図７】
2015041149.tif 000009
【図８】
2015041149.tif 000010